(57)【要約】【課題】ドア本体とドア枠との間に手指が挟まれても強い押圧力が加わるのを防止することが可能な指詰め防止用ドア装置を提供する。【解決手段】開口部１１に固定され、第１、第２の縦枠部材１２、１３を有するドア枠１４と、第２の縦枠部材１３に蝶番１５を介して開閉自在に取り付けられたドア本体１６とを有する指詰め防止用ドア装置１０であって、第１の縦枠部材１２は、開口部１１に固定される主枠材１７と、主枠材１７の第２の縦枠部材１３と対向する内側面１８を覆い、閉じられたドア本体１６が当接する戸当たり１９及びドア本体１６に設けられた錠２０が挿通する挿通孔２１を備えた補助枠材２２とを有し、補助枠材２２は第２の縦枠部材１３側に弾性部材２３で所定位置まで付勢され、ドア本体１６と補助枠材２２の間に異物が嵌入した場合、補助枠材２２が主枠材１７方向に後退する。【選択図】図２
2009167692.tif 000002
【特許請求の範囲】
【請求項１】
開口部に固定され、第１、第２の縦枠部材を有するドア枠と、前記第２の縦枠部材に蝶番を介して開閉自在に取り付けられたドア本体とを有する指詰め防止用ドア装置であって、
前記第１の縦枠部材は、前記開口部に固定される主枠材と、該主枠材の前記第２の縦枠部材と対向する内側面を覆い、閉じられた前記ドア本体が当接する戸当たり及び該ドア本体に設けられた錠が挿通する挿通孔を備えた補助枠材とを有し、該補助枠材は前記第２の縦枠部材側に弾性部材で付勢され、前記ドア本体と前記補助枠材の間に異物が嵌入した場合、該補助枠材が前記主枠材方向に後退することを特徴とする指詰め防止用ドア装置。
【請求項２】
請求項１記載の指詰め防止用ドア装置において、前記主枠材は断面四角形の主枠本体と、該主枠本体に一体的に設けられた前記開口部への取付け部と、前記主枠本体の前後壁の中央に配置されたストッパー受けとを備え、前記補助枠材は、断面コ字状に配列された内板部とこれに連接する前板部及び後ろ板部を有して、前記主枠材の内側面及び前記前後壁を覆い、前記前板部及び後ろ板部の対向面には前記ストッパー受けに外側からそれぞれ掛止して前記主枠本体に対して内側への突出長を決めるストッパーを有し、更に、前記主枠材と前記補助枠材の間には、前記補助枠材を内側に付勢する複数の前記弾性部材が隙間を有して設けられていることを特徴とする指詰め防止用ドア装置。
【請求項３】
請求項２記載の指詰め防止用ドア装置において、前記補助枠材の前板部及び後ろ板部の対向面で、前記ストッパーの内側位置には、前記主枠材の前後壁に摺動状態で当接するガイド部が設けられていることを特徴とする指詰め防止用ドア装置。
【請求項４】
請求項２及び３のいずれか１項に記載の指詰め防止用ドア装置において、前記ストッパー受けは複数あって、隙間を有して垂直方向に並べて配置され、前記ストッパーは複数あって、前記ストッパー受けの隙間長より前記ストッパーの垂直長さが短くなって、しかも、前記補助枠材の上部には、前記ストッパー受けの垂直長さに対応する高さを有する、前記補助枠材の取付け用空間が形成され、しかも、該取付け用空間には、化粧用詰め物が配置されていることを特徴とする指詰め防止用ドア装置。
【請求項５】
請求項１〜４のいずれか１項に記載の指詰め防止用ドア装置において、前記補助枠材の後退を防止するロック機構が設けられていることを特徴とする指詰め防止用ドア装置。
【請求項６】
請求項１〜５のいずれか１項に記載の指詰め防止用ドア装置において、前記補助枠材の前板部は、前記主枠材の前壁の全部を覆うことを特徴とする指詰め防止用ドア装置。
【発明の詳細な説明】
【技術分野】
【０００１】
本発明は、ドア枠と、ドア本体との間に手指が挟まれた際に、ドア枠の縦枠部材が後退して手指に強い押圧力が加わるのを防止する指詰め防止用ドア装置に関する。
【背景技術】
【０００２】
ドア枠と、ドア本体とを有するドア装置では、開かれた状態のドア本体が風や不注意で急に閉じられた場合、ドア本体の戸先側部（ドアノブ側）と、これに対向するドア枠の縦枠部材の間に手指が残されていると、手指がドア本体と縦枠部材の間に挟まれて怪我をするという問題が生じる。このため、ドア本体側の取付け部とドア枠側の取付け部を連結する枢軸を太くした蝶番を用いてドア本体をドア枠に取付け、ドア本体が閉じられた際にドア本体と縦枠部材との間に、少なくとも１０ｍｍ以上の隙間が形成されるようにしたドア装置が提案されている（例えば、特許文献１参照）。
また、ドア本体とドア枠との間に予め隙間が形成されるようにして、この隙間にスポンジ等の軟らかい緩衝材を介在させておき、手指が挟まれても緩衝材が変形することで、手指に強い押圧力が加わるのを防止するドア装置が提案されている（例えば、特許文献２参照）。
【０００３】
【特許文献１】特開平１０−７２９７２号公報
【特許文献２】特開２００４−３１６４０９号公報
【発明の開示】
【発明が解決しようとする課題】
【０００４】
しかしながら、特許文献１のドア装置では、ドア本体が閉じられた際に、ドア本体とドア枠の縦枠部材との間に、少なくとも１０ｍｍ以上の隙間が形成されるので、例えば、バールの先部を容易に隙間に挿入することができ、ドア本体がこじ開けられるという問題が生じる。また、特許文献２のドア装置では、ドア本体とドア枠の縦枠部材との間に緩衝材を介在させるための収納部をドア本体及び縦枠部材のいずれか一方又は両方に形成する必要があり、市販のドア本体及びドア枠を使用することが難しく、特別にドア本体及びドア枠を製作するとコスト高になるという問題が生じる。
【０００５】
本発明はかかる事情に鑑みてなされたもので、ドア本体が容易にこじ開けられることなく、ドア本体とドア枠との間に隙間や緩衝材を介在させるための収納部を予め形成する必要がなく、安価でドア本体とドア枠との間に手指が挟まれても強い押圧力が加わるのを防止することが可能な指詰め防止用ドア装置を提供することを目的とする。
【課題を解決するための手段】
【０００６】
前記目的に沿う本発明に係る遠赤外線放射板は、開口部に固定され、第１、第２の縦枠部材を有するドア枠と、前記第２の縦枠部材に蝶番を介して開閉自在に取り付けられたドア本体とを有する指詰め防止用ドア装置であって、
前記第１の縦枠部材は、前記開口部に固定される主枠材と、該主枠材の前記第２の縦枠部材と対向する内側面を覆い、閉じられた前記ドア本体が当接する戸当たり及び該ドア本体に設けられた錠が挿通する挿通孔を備えた補助枠材とを有し、該補助枠材は前記第２の縦枠部材側に弾性部材で所定位置（ストッパーがストッパー受けに当接する位置）まで付勢され、前記ドア本体と前記補助枠材の間に異物が嵌入した場合、該補助枠材が前記主枠材方向に後退する。
【０００７】
本発明に係る指詰め防止用ドア装置において、前記主枠材は断面四角形の主枠本体と、該主枠本体に一体的に設けられた前記開口部への取付け部と、前記主枠本体の前後壁の中央に配置されたストッパー受けとを備え、前記補助枠材は、断面コ字状に配列された内板部とこれに連接する前板部及び後ろ板部を有して、前記主枠材の内側面及び前記前後壁を覆い、前記前板部及び後ろ板部の対向面には前記ストッパー受けに外側からそれぞれ掛止して前記主枠本体に対して内側への突出長を決めるストッパーを有し、更に、前記主枠材と前記補助枠材の間には、前記補助枠材を内側に付勢する複数の前記弾性部材が隙間を有して設けられていることが好ましい。
【０００８】
本発明に係る指詰め防止用ドア装置において、前記補助枠材の前板部及び後ろ板部の対向面で、前記ストッパーの内側位置には、前記主枠材の前後壁に摺動状態で当接するガイド部が設けられていることが好ましい。
【０００９】
本発明に係る指詰め防止用ドア装置において、前記ストッパー受けは複数あって、隙間を有して垂直方向に並べて配置され、前記ストッパーは複数あって、前記ストッパー受けの隙間長より前記ストッパーの垂直長さが短くなって、しかも、前記補助枠材の上部には、前記ストッパー受けの垂直長さに対応する高さを有する、前記補助枠材の取付け用空間が形成され、しかも、該取付け用空間には、化粧用詰め物が配置されていることが好ましい。
【００１０】
本発明に係る指詰め防止用ドア装置において、前記補助枠材の後退を防止するロック機構が設けられていることが好ましい。
【００１１】
本発明に係る指詰め防止用ドア装置において、前記補助枠材の前板部は、前記主枠材の前壁の全部を覆うことが好ましい。
【発明の効果】
【００１２】
本発明に係る指詰め防止用ドア装置においては、補助枠材は第２の縦枠部材側に弾性部材で付勢されているので、ドア本体が閉じられた際に、ドア本体とドア枠の第１の縦枠部材との間に隙間が形成されず、例えば、バール等の部材が差し入れられることを防止して、ドア本体がこじ開けられるのを防ぐことが可能になる。また、ドア本体と補助枠材の間に手指や異物が嵌入した状態でドア本体が閉じられた場合、手指や異物に加わる押圧力の反力で補助枠材が主枠材方向に後退するので、手指の怪我や異物によるドア本体及び補助枠材の損傷を防止できる。
【００１３】
主枠材と補助枠材の間に補助枠材を内側に付勢する複数の弾性部材が隙間を有して設けられ、補助枠材の前板部及び後ろ板部の対向面にはストッパー受けに外側からそれぞれ掛止して主枠本体に対して内側への突出長を決めるストッパーが設けられている場合には、主枠材の内側面を覆うように設けた補助枠材を所定位置まで付勢することができる。
【００１４】
補助枠材の前板部及び後ろ板部の対向面で、ストッパーの内側位置に、主枠材の前後壁に摺動状態で当接するガイド部が設けられている場合、補助枠材を主枠材方向に円滑に後退させることができると共に、後退した補助枠材を円滑に復元させることができる。また、補助枠材とドア本体の間に、例えば、バール等の部材を差し込もうとした際に、補助枠材が主枠材に対して浮き上がるのを防止して、バール等の部材の差し込みを防止できる。
【００１５】
補助枠材の上部に形成さた取付け用空間に化粧用詰め物が配置されている場合には、取付け用空間が塞がって、主枠材と補助枠材の間にゴミ等の異物が侵入するのが防止でき、補助枠材を主枠材方向に確実に後退させることができる
【００１６】
補助枠材の後退を防止するロック機構が設けられている場合には、補助枠材とドア本体の間に、例えば、バール等の部材を差し込もうとしても容易に差し込むことができず、防犯効果を高めることができる。
【００１７】
補助枠材の前板部で主枠材の前壁の全部を覆う場合には、戸外側からは、主枠材の前壁が補助枠材で覆われていることが視認できず、防犯効果が図れる。
【発明を実施するための最良の形態】
【００１８】
続いて、添付した図面を参照しつつ、本発明を具体化した実施の形態につき説明し、本発明の理解に供する。
ここで、図１は本発明の一実施の形態に係る指詰め防止用ドア装置の正面図、図２は同指詰め防止用ドア装置の第１の縦枠部材の平断面図、図３は図２のＰ−Ｐ矢視断面図、図４（Ａ）、（Ｂ）はそれぞれ同指詰め防止用ドア装置のロック機構の平断面図、側面図、図５（Ａ）、（Ｂ）はそれぞれ変形例に係るロック機構の平断面図、側面図である。
【００１９】
図１、図２に示すように、本発明の一実施の形態に係る指詰め防止用ドア装置１０は、開口部１１に固定され、第１、第２の縦枠部材１２、１３を有するドア枠１４と、第２の縦枠部材１３に蝶番１５を介して開閉自在に取り付けられたドア本体１６とを有している。そして、第１の縦枠部材１２は、開口部１１に固定される主枠材１７と、主枠材１７の第２の縦枠部材１３と対向する内側面１８を覆い、閉じられたドア本体１６が当接する戸当たり１９及びドア本体１６に設けられた錠２０が挿通する挿通孔２１を備えた補助枠材２２とを有し、補助枠材２２は第２の縦枠部材１３側に弾性部材の一例であるバネ２３を備えた押圧機構２４で所定位置まで付勢され、ドア本体１６と補助枠材２２の間に異物、例えば、手指が嵌入した場合、補助枠材２２が主枠材１７方向に後退するようになっている。以下、詳細に説明する。
【００２０】
ここで、所定位置とは、ドア本体１６がドア枠１４内で閉じられた際に、ドア本体１６で錠２０の突出口２５が形成されているドア端面２６と補助枠材２２との間に、例えば、１〜３ｍｍの隙間Ｃが形成される位置を指す。また、ドア本体１６において、ドア端面２６と戸外側面２７が接する角部のドア端面２６側に隙間Ｃから外気が侵入するのを抑制する隙間覆い部２８を必要に応じて取付けることができる。なお、符号２９はドア本体１６に取付けられたドアノブ、符号３０はドア本体１６内に収納され錠２０の開閉（進退）を行う開閉機構（図示せず）の操作を行う鍵を差し込む鍵穴である。
【００２１】
開口部１１は、距離を設けて垂直に配置される第１、第２の垂直柱材３１、３２と、第１、第２の垂直柱材３１、３２の上下両端部をそれぞれ連結する第１、第２の水平梁材３３、３４により形成され、ドア枠１４は、第１、第２の垂直柱材３１、３２にそれぞれ固定される第１、第２の縦枠部材１２、１３と、第１、第２の縦枠部材１２、１３の上下両端部をそれぞれ連結すると共に第１、第２の水平梁材３３、３４にそれぞれ固定される第１、第２の横枠部材３５、３６を有している。
【００２２】
主枠材１７は、断面四角形の主枠本体１７ａと、主枠本体１７ａに一体的に設けられた開口部１１への取付け部４２、４３とを有している。そして、主枠本体１７ａは、内側面１８を備えた開口側壁３７と、開口側壁３７の幅方向両側にそれぞれ一端部が直角に連接し戸内外側にそれぞれ配置される前壁３８及び後壁３９と、前、後壁３８、３９の他端部に両側がそれぞれ連接する柱側壁４０とを有している。そして、主枠材１７には、前、後壁３８、３９の対向面に両側が連結した補強部４１（本実施の形態では、開口側壁３７（柱側壁４０）に平行に配置されている）が設けられている。ここで、取付け部４２は、例えば、柱側壁４０の中央部に前壁３８（後壁３９）に平行となるよう設けられ、取付け部４３は、例えば、柱側壁４０の後壁３９側に柱側壁４０が延在するように形成されている。更に、図３に示すように、前壁３８及び後壁３９の中央部には、それぞれ前側及び後ろ側に突出する複数のストッパー受け４４が垂直方向に隙間（隙間長Ｄ）を有して並べて配置されている。  
【００２３】
補助枠材２２は、断面コ字状に配列された内板部４５とこれに連接する前板部４６及び後ろ板部４７とを有して、主枠材１７の内側面１８、前壁３８の全部、後壁３９の一部を覆っている。また、前板部４６及び後ろ板部４７の対向面には、ストッパー受け４４に外側からそれぞれ掛止して主枠本体１７ａに対して内側への突出長を決める複数のストッパー４８が設けられている。ここで、ストッパー４８の垂直長さＬは、ストッパー受け４４の垂直長さと同一で、ストッパー受け４４の隙間長Ｄより短くなっている。そして、補助枠材２２の上部には、ストッパー受け４４の垂直長さに対応する高さを有する補助枠材２２の取付け用空間が形成され、取付け用空間には、図示しない化粧用詰め物が配置されている。これによって、化粧用詰め物を取り外して、取付け用空間を利用することにより、例えば、装着された補助枠材２２を主枠材１７から取り外したり、又は取り外した補助枠材２２を主枠材１７に装着することができる。
【００２４】
また、補助枠材２２の前板部４６及び後ろ板部４７の対向面で、ストッパー４８の内側位置には、主枠材１７の前、後壁３８、３９に摺動状態で当接するガイド部４９が垂直方向に、例えば、ストッパー受け４４の隙間長Ｄと同一の間隔で設けられている。更に、前板部４６の外側端部には上端から下端に連続して終端部５０が形成され、前板部４６と前壁３８の間に形成されている隙間を覆っている。
【００２５】
主枠材１７と補助枠材２２の間に隙間を有して複数設けられる押圧機構２４は、主枠材１７の開口側壁３７を貫通し両側がそれぞれ補強部４１と内板部４５に当接するバネ２３と、基側が補強部４１に取付けられ先側が開口側壁３７を貫通して内部にバネ２３の一部を収容する筒状の第１のバネ保持部５１とを有している。更に、押圧機構２４は、基側が開口側壁３７を貫通して第１のバネ保持部５１の先側に外装され、先側が第１のバネ保持部５１の先端から突出しているバネ２３の部分を収容する有底筒状の第２のバネ保持部５２とを有している。
【００２６】
以上の構成とすることで、補助枠材２２を、その上下方向位置を調整して主枠材１７の内側面１８に内板部４５が対向するように配置し、主枠材１７の開口側壁３７から突出している第２のバネ保持部５２に補助枠材２２の内板部４５を当接させて押し込むことで前板部４６、後ろ板部４７に形成されたストッパー４８が、主枠材１７のストッパー受け４４の隙間を通過することができ、主枠材１７の開口側壁３７、前壁３８、及び後壁３９を補助枠材２２の内板部４５、前板部４６、及び後ろ板部４７でそれぞれ覆うことができる。そして、補助枠材２２を押し込んでストッパー４８がストッパー受け４４の隙間を通過した状態で主枠材１７に対して上下いずれか一方の方向に移動させることで主枠材１７と補助枠材２２の上下両端部の高さ位置をそれぞれ一致させることができ、補助枠材２２の押し込みを解除することで、押圧機構２４により補助枠材２２が押し戻されて、ストッパー４８がストッパー受け４４に当接（掛止）し補助枠材２２の移動が停止する。これにより、補助枠材２２を第２の縦枠部材１３側に、押圧機構２４で所定位置（補助枠材２２の内側端がドア本体１６のドア端面２６と隙間Ｃを有して対向する位置）まで付勢することができる。
【００２７】
そして、図３に示すように、補助枠材２２が主枠材１７に対して第２の縦枠部材１３側に押圧機構２４で所定位置まで付勢された状態では、主枠材１７と補助枠材２２の上下両端部の高さ位置はそれぞれ一致しているので、補助枠材２２及び主枠材１７の上、下部をそれぞれ一体で覆う上、下キャップ材５３、５４を装着することができる。これにより、第１の縦枠部材１２が形成される。上、下キャップ材５３、５４を装着することで、主枠材１７の内側面１８と補助枠材２２の内板部４５の間にゴミ等の異物が侵入するのを防止できる。なお、第１の縦枠部材１２が形成された状態で、前板部４６は、前壁３８の全面を覆っている。これにより、第１の縦枠部材１２が、主枠材１７と、主枠材１７に対して進退可能な補助枠材２２で構成されていることが戸外側からは判別できない。
【００２８】
また、図４（Ａ）、（Ｂ）に示すように、指詰め防止用ドア装置１０の第１の縦枠部材１２には、補助枠材２２を所定位置で主枠材１７に対して固定するロック機構５５が設けられている。ロック機構５５は、基側が補助枠材２２の内板部４５に立設され先側が主枠材１７の開口側壁３７に形成された挿通孔５６を貫通して主枠材１７内部に突出するロック受け部５７と、補助枠材２２の後ろ板部４７及び主枠材１７の後壁３９にそれぞれ形成され、補助枠材２２が主枠材１７に対して所定位置となった際に同心で連通状態となる第１、第２の差し込み口５８、５９から挿入されて主枠材１７の前壁３８の後壁３９との対向面側に取付けられた支持部６０で先部が保持され、中央部にロック受け部５７に掛止するロック開閉部材６１とを有している。
【００２９】
ここで、ロック開閉部材６１は、支持部６０に先部が嵌入し基側に操作用つまみ６２が取付けられた、例えば円柱状の操作本体部６３と、操作本体部６３の側中央部に立設され、ロック受け部５７の先側に形成された図示しない掛止部に係合するロック側掛止部（図示せず）が形成されたロック部６４とを有している。なお、符号６５は、第１の差し込み口５８に設けられた孔ガイド部である
【００３０】
このような構成とすることで、第１、第２の差し込み口５８、５９から挿入した操作本体部６３の操作用つまみ６２を用いて操作本体部６３を回転させてロック受け部５７の掛止部にロック部６４のロック側掛止部を係合させることでロック受け部５７とロック開閉部材６１が連結して補助枠材２２と主枠材１７が一体化し、補助枠材２２が主枠材１７方向に後退することが防止できる。また、操作本体部６３を第１、第２の差し込み口５８、５９から引き抜くことで、ロック受け部５７とロック開閉部材６１の連結が解除されて、補助枠材２２は主枠材１７方向に後退することができる。なお、操作本体部６３を第１、第２の差し込み口５８、５９に差し込むだけで、補助枠材２２が主枠材１７方向に後退するのを防止できるが、ロック受け部５７の掛止部にロック部６４のロック側掛止部を係合させる方が補助枠材２２と主枠材１７の一体化が強固になるので、防犯上好ましい。
【００３１】
続いて、本発明の一実施の形態に係る指詰め防止用ドア装置１０の作用について説明する。
補助枠材２２が主枠材１７に対して所定位置まで付勢された状態で、主枠材１７と補助枠材２２の上下両端部に上、下キャップ材５３、５４が装着された状態の第１の縦枠部材１２、第２の縦枠部材１３、第１、第２の横枠部材３５、３６を、開口部１１を形成している第１、第２の垂直柱材３１、３２、第１、第２の水平梁材３３、３４にそれぞれ固定してドア枠１４を形成する。ここで、第１の垂直柱材３１への第１の縦枠部材１２の取付けは、主枠本体１７ａに一体的に設けられた取付け部４２、４３を固定部材の一例であるビス６６を用いて行われる。そして、ドア枠１４に蝶番１５を介してドア本体１６を取り付けた場合、ドア端面２６と補助枠材２２との間には１〜３ｍｍの隙間Ｃが形成されているため、ドア本体１６を自由に開閉することができる。また、前板部４６は、前壁３８の全面を覆っているので、第１の縦枠部材１２が、主枠材１７と、主枠材１７に対して進退可能な補助枠材２２を有していることが戸外側からは判別できない。
【００３２】
そして、ドア本体１６と第１の縦枠部材１２との間には１〜３ｍｍの隙間Ｃが形成されている状態なので、例えば、バール等の部材が差し入れようとすることが防止できる。更に、隙間覆い部材２８が設けられていると、実際にバール等の部材が差し入れられるのが防止できる。また、ドア本体１６と補助枠材２２の間に手指やその他の異物が嵌入した状態でドア本体１６が閉じられても、手指や異物に加わる押圧力の反力が補助枠材２２に加わり、第２のバネ保持部５２が第１のバネ保持部５１側に押されてバネ２３が縮み、補助枠材２２が主枠材１７方向に後退するので、手指やその他の異物に加わる押圧力が過度に大きくならず、手指の怪我やその他の異物によるドア本体１６及び補助枠材２２の損傷が防止できる。
【００３３】
なお、ドア本体１６と補助枠材２２の間に嵌入した手指やその他の異物が取り除かれると、縮んだバネ２３の復元力で第２のバネ保持部５２が第２の縦枠部材１３側に押し出され、補助枠材２２のストッパー４８が主枠材１７のストッパー受け４４に当接して押し出しが停止する。これにより、補助枠材２２は主枠材１７に対して所定位置まで付勢された状態となる。そして、上、下キャップ材５３、５４により、主枠材１７の内側面１８と補助枠材２２の間にゴミ等の異物が侵入するのが防止でき、ドア本体１６と補助枠材２２の間に手指やその他の異物が嵌入した場合に、補助枠材２２を主枠材１７方向に確実に後退させることができる。
【００３４】
また、第１、第２の差し込み口５８、５９から操作本体部６３を挿入し、操作用つまみ６２を用いて操作本体部６３のロック部６４に設けられたロック側掛止部をロック受け部５７の掛止部に係合させることで、ロック受け部５７とロック開閉部材６１を連結して補助枠材２２を主枠材１７に固定することができ、補助枠材２２が主枠材１７方向に後退することを防止できる。これにより、ドア本体１６と第１の縦枠部材１２との間の隙間Ｃに、例えば、バール等の部材を差し入れようとしても、補助枠材２２が主枠材１７方向に後退しないので、挿入することができない。
【００３５】
図５に、変形例に係るロック機構６７を示す。ロック機構６７は、補助枠材２２の後ろ板部４７及び主枠材１７の後壁３９にそれぞれ形成され、補助枠材２２が主枠材１７に対して所定位置となった際に同心で連通状態となる第１、第２の差し込み口６８、６９から挿入され、主枠材１７の前壁３８を貫通して補助枠材２２の前板部４６に設けられたガイド部７０に形成された凹部７１で先部が保持される、例えば円柱状の操作本体部７２と、操作本体部７２の側中央部に立設され、主枠材１７に設けられた補強部４１に先端部が当接可能なロック部７３とを有している。なお、符号７４は操作本体部７２の基側に設けられた操作用つまみ、符号７５は第１の差し込み口６８に設けられた孔ガイド部である。
【００３６】
このような構成とすることで、第１、第２の差し込み口６８、６９から挿入した操作本体部７２の操作用つまみ７４を用いて操作本体部７２を回転させてロック部７３を補強部４１に当接させることで補助枠材２２が主枠材１７に固定され、補助枠材２２が主枠材１７方向に後退することが防止できる。また、操作本体部７２を第１、第２の差し込み口６８、６９から引き抜くか、第１、第２の差し込み口６８、６９から挿入した操作本体部７２の操作用つまみ７４を用いて操作本体部７２を回転させてロック部７３を垂直状態（上方に向く状態）にすると、ロック部７３が補強部４１に当接しないので、補助枠材２２を主枠材１７方向に後退させることができる。なお、操作本体部７２を第１、第２の差し込み口６８、６９に差し込むだけで、補助枠材２２が主枠材１７方向に後退するのを防止できるが、ロック部７３が補強部４１に当接させる方が補助枠材２２と主枠材１７の一体化が強固になるので、防犯上好ましい。
【００３７】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
例えば、ロック機構を複数設けることができる。これによって、補助枠材と主枠材との固定を更に強固とすることができる。
【図面の簡単な説明】
【００３８】
【図１】本発明の一実施の形態に係る指詰め防止用ドア装置の正面図である。
【図２】同指詰め防止用ドア装置の第１の縦枠部材の平断面図である。
【図３】図２のＰ−Ｐ矢視断面図である。
【図４】（Ａ）、（Ｂ）はそれぞれ同指詰め防止用ドア装置のロック機構の平断面図、側面図である。
【図５】（Ａ）、（Ｂ）はそれぞれ変形例に係るロック機構の平断面図、側面図である。
【符号の説明】
【００３９】
１０：指詰め防止用ドア装置、１１：開口部、１２：第１の縦枠部材、１３：第２の縦枠部材、１４：ドア枠、１５：蝶番、１６：ドア本体、１７：主枠材、１７ａ：主枠材本体、１８：内側面、１９：戸当たり、２０：錠、２１：挿通孔、２２：補助枠材、２３：バネ、２４：押圧機構、２５：突出口、２６：ドア端面、２７：戸外側面、２８：隙間覆い部材、２９：ドアノブ、３０：鍵穴、３１：第１の垂直柱材、３２：第２の垂直柱材、３３：第１の水平梁材、３４：第２の水平梁材、３５：第１の横枠部材、３６：第２の横枠部材、３７：開口側壁、３８：前壁、３９：後壁、４０：柱側壁、４１：補強部、４２、４３：取付け部、４４：ストッパー受け、４５：内板部、４６：前板部、４７：後ろ板部、４８：ストッパー、４９：ガイド部、５０：終端部、５１：第１のバネ保持部、５２：第２のバネ保持部、５３：上キャップ材、５４：下キャップ材、５５：ロック機構、５６：挿通孔、５７：ロック受け部、５８：第１の差し込み口、５９：第２の差し込み口、６０：支持部、６１：ロック開閉部材、６２：操作用つまみ、６３：操作本体部、６４：ロック部、６５：孔ガイド部、６６：ビス、６７：ロック機構、６８：第１の差し込み口、６９：第２の差し込み口、７０：ガイド部、７１：凹部、７２：操作本体部、７３：ロック部、７４：操作用つまみ、７５：孔ガイド部  
【図１】
2009167692.tif 000003
【図２】
2009167692.tif 000004
【図３】
2009167692.tif 000005
【図４】
2009167692.tif 000006
【図５】
2009167692.tif 000007